(57)【要約】【課題】低外気温時に圧縮機高低圧比(吐出圧力／吸入圧力)を上限値以内に保って沸き上げ運転を行うことができる貯湯式給湯装置を提供する。【解決手段】貯湯式給湯装置は、貯湯タンク３の下部から沸き上げ熱交換器１０を介して貯湯タンク３の上部に接続された沸き上げ回路(Ｌ１,Ｌ２,１０,Ｌ３)と、沸上用循環ポンプＰ１とヒートポンプユニット２を制御する制御装置１００を備える。制御装置１００は、低外気温時に行う沸き上げ運転において、ヒートポンプユニット２の圧縮機２０４の吸入圧力に対する吐出圧力の比が予め設定された上限値以内になるように、圧縮機２０４の運転周波数を制限する第１制限モードと目標出湯温度を制限する第２制限モードとを所定の条件に基づいて切り換える沸き上げ運転制御部を有する。【選択図】図１
2016095088.tif 000002
【特許請求の範囲】
【請求項１】
貯湯タンク(３)と、
上記貯湯タンク(３)の下部から沸き上げ熱交換器(１０)を介して上記貯湯タンク(３)の上部に接続された沸き上げ回路(Ｌ１,Ｌ２,１０,Ｌ３)と、
上記沸き上げ回路(Ｌ１,Ｌ２,１０,Ｌ３)に配設され、上記貯湯タンク(３)内の湯水を上記沸き上げ回路(Ｌ１,Ｌ２,１０,Ｌ３)を介して循環させる沸上用循環ポンプ(Ｐ１)と、
上記貯湯タンク(３)内の湯水を上記沸き上げ熱交換器(１０)により沸き上げるヒートポンプユニット(２)と、
上記沸上用循環ポンプ(Ｐ１)と上記ヒートポンプユニット(２)を制御する制御装置(１００)と
を備え、
上記制御装置(１００)は、低外気温時に行う沸き上げ運転において、上記ヒートポンプユニット(２)の圧縮機(２０４)の吸入圧力に対する吐出圧力の比が予め設定された上限値以内になるように、上記圧縮機(２０４)の運転周波数を制限する第１制限モードと目標出湯温度を制限する第２制限モードとを所定の条件に基づいて切り換える沸き上げ運転制御部(１００a)を有することを特徴とする貯湯式給湯装置。
【請求項２】
請求項１に記載の貯湯式給湯装置において、
上記沸き上げ運転制御部(１００a)は、上記低外気温時に予め設定された時間帯に応じて上記第１制限モードと上記第２制限モードを切り換えることを特徴とする貯湯式給湯装置。
【請求項３】
請求項２に記載の貯湯式給湯装置において、
上記予め設定された時間帯は、深夜時間帯であって、
上記沸き上げ運転制御部(１００a)は、上記深夜時間帯でかつ低外気温時に沸き上げ運転を行う場合、上記第１制限モードで沸き上げ運転を行うことを特徴とする貯湯式給湯装置。
【請求項４】
請求項１から３までのいずれか１つに記載の貯湯式給湯装置において、
上記沸き上げ運転制御部(１００a)は、風呂湯張り運転の終了から予め設定された期間内でかつ上記低外気温時に沸き上げ運転を行う場合、上記第２制限モードで沸き上げ運転を行うことを特徴とする貯湯式給湯装置。
【請求項５】
請求項１から４までのいずれか１つに記載の貯湯式給湯装置において、
上記貯湯タンク(３)内から供給される給湯量を検出する給湯量検出部(２４,２７)を備え、
上記沸き上げ運転制御部(１００a)は、上記給湯量検出部(２４,２７)により検出された給湯量に基づいて、上記低外気温時の沸き上げ運転において上記第１制限モードと上記第２制限モードを切り換えることを特徴とする貯湯式給湯装置。
【請求項６】
請求項５に記載の貯湯式給湯装置において、
上記制御装置(１００)は、上記給湯量検出部(２４,２７)により検出された給湯量の履歴情報を記憶する履歴情報記憶部(１００e)を有し、
上記沸き上げ運転制御部(１００a)は、上記履歴情報記憶部(１００e)により記憶された給湯量の履歴情報に基づいて、上記低外気温時の沸き上げ運転において上記第１制限モードと上記第２制限モードを切り換えることを特徴とする貯湯式給湯装置。
【請求項７】
請求項１から６までのいずれか１つに記載の貯湯式給湯装置において、
上記沸き上げ運転制御部(１００a)は、上記低外気温時にリモートコントローラ(２００)からの沸き上げ運転を指令する信号を受けると、上記第２制限モードで沸き上げ運転を行うことを特徴とする貯湯式給湯装置。
【発明の詳細な説明】
【技術分野】
【０００１】
この発明は、貯湯式給湯装置に関する。
【背景技術】
【０００２】
従来、貯湯式給湯装置としては、貯湯タンク内の湯水を沸き上げるヒートポンプユニットの出力に応じて複数の沸き上げ運転モードで沸き上げ運転を行うものがある(例えば、特開２００７−１３２５９４号公報(特許文献１)参照)。
【０００３】
上記貯湯式給湯装置の加熱手段は、設定された通常のヒートポンプユニットの出力で沸き上げ運転を行う定格出力運転モードと、この定格出力運転モードの出力より大きな出力で第１設定温度に沸き上げるスピード運転モードと、定格出力運転モードの出力より大きく、スピード運転モードよりも小さな出力で、第１設定温度より高い第２設定温度に沸き上げるパワフル運転モードを備えている。
【先行技術文献】
【特許文献】
【０００４】
【特許文献１】特開２００７−１３２５９４号公報
【発明の概要】
【発明が解決しようとする課題】
【０００５】
上記貯湯式給湯装置では、スピード運転モードとパワフル運転モードでヒートポンプユニットの出力を大きくすると共に設定温度を高くしているのに対して、湯切れ耐力を上げるために設定温度を下げて大きな加熱能力で沸き上げる貯湯式給湯装置が考えられる。ここで、加熱能力とは、貯湯タンク内の湯水を沸き上げるために沸き上げ熱交換器において生成することができる単位時間当たりの熱量である。
【０００６】
しかしながら、このような設定温度を下げて大きな加熱能力で沸き上げる貯湯式給湯装置では、性能面やコスト面での制約上の観点から、圧縮機高低圧力比(吐出圧力／吸入圧力)を制御する必要があることへの対策は、想定されていなかった。このため、上記貯湯式給湯装置では、低外気温時に圧縮機高低圧比(吐出圧力／吸入圧力)が上限値を越えてしまうと、圧縮機が損傷したり信頼性が低下したりするという問題がある。
【０００７】
特に、ヒートポンプユニットにＨＦＣ冷媒を用いて一定温度以上の沸き上げ運転を実施する場合、低外気温時(例えば、−５℃〜−２５℃)における沸き上げ運転では、圧縮機高低圧比(吐出圧力／吸入圧力)が上限値を越えてしまう可能性が高くなる。
【０００８】
そこで、この発明の課題は、低外気温時に圧縮機高低圧比(吐出圧力／吸入圧力)を上限値以内に保って沸き上げ運転を行うことができる貯湯式給湯装置を提供することにある。
【課題を解決するための手段】
【０００９】
上記課題を解決するため、この発明の貯湯式給湯装置は、
貯湯タンクと、
上記貯湯タンクの下部から沸き上げ熱交換器を介して上記貯湯タンクの上部に接続された沸き上げ回路と、
上記沸き上げ回路に配設され、上記貯湯タンク内の湯水を上記沸き上げ回路を介して循環させる沸上用循環ポンプと、
上記貯湯タンク内の湯水を上記沸き上げ熱交換器により沸き上げるヒートポンプユニットと、
上記沸上用循環ポンプと上記ヒートポンプユニットを制御する制御装置と
を備え、
上記制御装置は、低外気温時に行う沸き上げ運転において、上記ヒートポンプユニットの圧縮機の吸入圧力に対する吐出圧力の比が予め設定された上限値以内になるように、上記圧縮機の運転周波数を制限する第１制限モードと目標出湯温度を制限する第２制限モードとを所定の条件に基づいて切り換える沸き上げ運転制御部を有することを特徴とする。
【００１０】
ここで、「低外気温時」とは、氷点以下に設定された判定温度よりも外気温度が低くなったときであり、例えば、ＨＦＣ冷媒を用いたヒートポンプユニットを備えた貯湯式給湯装置では、外気温度が−５℃以下になったときである。
【００１１】
上記構成によれば、低外気温時に行う沸き上げ運転において、沸き上げ運転制御部によって、ヒートポンプユニットの圧縮機の吸入圧力に対する吐出圧力の比が予め設定された上限値以内になるように、圧縮機の運転周波数を制限する第１制限モードと目標出湯温度を制限する第２制限モードとを所定の条件に基づいて切り換えることによって、圧縮機の運転周波数を制限して圧縮機の吸入圧力を上げることで、圧縮機の吸入圧力に対する吐出圧力の比を下げて上記上限値以内になるようにする一方、目標出湯温度を制限して圧縮機の吐出圧力を下げることで、圧縮機の吸入圧力に対する吐出圧力の比を下げて上記上限値以内になるようにすることが可能になる。ここで、沸き上げ熱交換器で生成される熱量である加熱能力を下げても、出湯温度を目標出湯温度に保ちたいときは、圧縮機の運転周波数を制限する第１制限モードで沸き上げ運転を行う。また、沸き上げ熱交換器の出湯温度を下げても、加熱能力(沸き上げ熱交換器で生成される熱量)を上げたいときは、目標出湯温度を制限する第２制限モードで沸き上げ運転を行う。
【００１２】
これにより、低外気温時に圧縮機高低圧比(吐出圧力／吸入圧力)を上記上限値以内に保って沸き上げ運転を行うことができる。さらに、低外気温時の沸き上げ運転において、加熱能力と出湯温度のうちのいずれを優先させるかを判断する所定の条件に基づいて第１,第２制限モードを切り換えることにより、状況に応じた最適な沸き上げ運転が可能になる。
【００１３】
例えば、低外気温時に通常の加熱能力で出湯温度を目標出湯温度にして沸き上げ運転を行うと、圧縮機の設計上で規定された圧縮機高低圧比(吐出圧力／吸入圧力)が上限値を超えてしまう恐れがあるので、第１制限モードで圧縮機の運転周波数を制限して加熱能力を下げて、出湯温度を目標出湯温度に保てるようにすることで、ゆっくりと時間をかけて、貯湯タンク内の少なくとも上部の湯が目標出湯温度になるように沸き上げることができる。一方、第２制限モードで目標出湯温度を制限して出湯温度を下げて、加熱能力を上げるようにすることで、速やかに貯湯タンク内の湯水を沸き上げることにより湯切れ耐力を強くすることができる。
【００１４】
また、一実施形態の貯湯式給湯装置では、
上記沸き上げ運転制御部は、上記低外気温時に予め設定された時間帯に応じて上記第１制限モードと上記第２制限モードを切り換える。
【００１５】
上記実施形態によれば、沸き上げ運転制御部によって、低外気温時に予め設定された時間帯に応じて第１制限モードで沸き上げ運転をするかまたは第２制限モードで沸き上げ運転をするかを切り換える。例えば、深夜時間帯では、貯湯タンク内の湯の使用量すなわち給湯量が少ないので、深夜時間帯でかつ低外気温のときに沸き上げ運転を行う場合は、第１制限モードで圧縮機の運転周波数を制限して加熱能力を下げて、沸き上げ熱交換器の出湯温度を目標出湯温度に保って、ゆっくりと時間をかけて、貯湯タンク内の少なくとも上部の湯が目標出湯温度になるように沸き上げることができる。一方、深夜時間帯以外の給湯量が比較的多い時間帯でかつ低外気温のときに沸き上げ運転を行う場合は、第２制限モードで目標出湯温度を制限して出湯温度を下げても、加熱能力を上げることにより沸き上げる湯量を増やして、湯切れが発生しないようにできる。
【００１６】
また、一実施形態の貯湯式給湯装置では、
上記予め設定された時間帯は、深夜時間帯であって、
上記沸き上げ運転制御部は、上記深夜時間帯でかつ低外気温時に沸き上げ運転を行う場合、上記第１制限モードで沸き上げ運転を行う。
【００１７】
上記実施形態によれば、貯湯タンク内の湯の使用量すなわち給湯量が少ない深夜時間帯でかつ低外気温のときに沸き上げ運転を行う場合は、第１制限モードで圧縮機の運転周波数を制限して加熱能力を下げることによって、沸き上げ熱交換器の出湯温度を目標出湯温度に保って、ゆっくりと時間をかけて、貯湯タンク内の少なくとも上部の湯が目標出湯温度になるように沸き上げることができる。一方、深夜時間帯以外の給湯量が比較的多い時間帯でかつ低外気温のときに沸き上げ運転を行う場合は、第２制限モードで目標出湯温度を制限して出湯温度を下げることによって、加熱能力を上げることにより沸き上げる湯量を増やして、湯切れが発生しないようにできる。
【００１８】
また、一実施形態の貯湯式給湯装置では、
上記沸き上げ運転制御部は、風呂湯張り運転の終了から予め設定された期間内でかつ上記低外気温時に沸き上げ運転を行う場合、上記第２制限モードで沸き上げ運転を行う。
【００１９】
上記実施形態によれば、沸き上げ運転制御部によって、風呂湯張り運転の終了から予め設定された期間(例えば２時間)内でかつ低外気温時に沸き上げ運転を行う場合、第２制限モードで沸き上げ運転を行う。風呂湯張り運転では、貯湯タンク内の湯が多量に浴槽に供給されるので、このような風呂湯張り運転終了後の状態で低外気温のときに沸き上げ運転を行う場合は、第２制限モードで目標出湯温度を制限して出湯温度を下げて、加熱能力を上げて速やかに貯湯タンク内の湯水を沸き上げることにより、風呂湯張り運転後に発生しやすい湯切れを防ぐことができる。
【００２０】
また、一実施形態の貯湯式給湯装置では、
上記貯湯タンク内から供給される給湯量を検出する給湯量検出部を備え、
上記沸き上げ運転制御部は、上記給湯量検出部により検出された給湯量に基づいて、上記低外気温時の沸き上げ運転において上記第１制限モードと上記第２制限モードを切り換える。
【００２１】
上記実施形態によれば、沸き上げ運転制御部によって、給湯量検出部により検出された給湯量に基づいて、低外気温時に第１制限モードで沸き上げ運転をするかまたは第２制限モードで沸き上げ運転をするかを切り換える。例えば、過去１時間以内の貯湯タンク内の湯の使用量すなわち給湯量の多い場合は、第２制限モードで目標出湯温度を制限して出湯温度を下げて、加熱能力を上げることにより沸き上げる湯量を増やす一方、過去１時間以内の貯湯タンク内の湯の使用量すなわち給湯量の少ない場合は、第１制限モードで圧縮機の運転周波数を制限して加熱能力を下げて、ゆっくりと時間をかけて、貯貯湯タンク内の少なくとも上部の湯を目標出湯温度になるように沸き上げることができる。
【００２２】
また、一実施形態の貯湯式給湯装置では、
上記制御装置は、上記給湯量検出部により検出された給湯量の履歴情報を記憶する履歴情報記憶部を有し、
上記沸き上げ運転制御部は、上記履歴情報記憶部により記憶された給湯量の履歴情報に基づいて、上記低外気温時の沸き上げ運転において上記第１制限モードと上記第２制限モードを切り換える。
【００２３】
上記実施形態によれば、給湯量検出部により検出された給湯量の履歴情報を履歴情報記憶部に記憶する。これにより、例えば１日(または１週間の各曜日)のうちで給湯量の時間帯毎の変動傾向が学習可能になる。そして、沸き上げ運転制御部によって、履歴情報記憶部により記憶された給湯量の履歴情報に基づいて、低外気温時に第１制限モードで沸き上げ運転をするかまたは第２制限モードで沸き上げ運転をするかを切り換える。したがって、貯湯タンク内の湯の使用量すなわち給湯量が少なくかつ低外気温の場合は、第１制限モードで沸き上げ運転を行い、給湯量が多くかつ低外気温の場合は、第２制限モードで沸き上げ運転を行うので、最適な低外気温時の沸き上げ運転のモードを的確に切り換えることができる。
【００２４】
また、一実施形態の貯湯式給湯装置では、
上記沸き上げ運転制御部は、上記低外気温時にリモートコントローラからの沸き上げ運転を指令する信号を受けると、上記第２制限モードで沸き上げ運転を行う。
【００２５】
上記実施形態によれば、沸き上げ運転制御部によって、低外気温時にリモートコントローラからの沸き上げ運転を指令する信号を受けると、第２制限モードで沸き上げ運転を行う。ユーザーがリモートコントローラを操作して沸き上げ運転を指令するのは、湯切れが起きやすくなるほどの量の湯を貯湯タンク内から給湯で使用したり、これから給湯で使用する予定であったりするためであり、そのような状況で沸き上げ運転を指令する信号を低外気温時に受けたときは、第２制限モードで加熱能力を上げて沸き上げ運転を行うことで、速やかに貯湯タンク内の湯水を沸き上げることができる。
【発明の効果】
【００２６】
以上より明らかなように、この発明によれば、低外気温時に圧縮機高低圧比(吐出圧力／吸入圧力)を上限値以内に保って沸き上げ運転を行うことができる貯湯式給湯装置を実現することができる。
【図面の簡単な説明】
【００２７】
【図１】図１はこの発明の第１実施形態の貯湯式給湯装置の配管系統図である。
【図２】図２は上記給湯装置の制御ブロック図である。
【図３】図３は上記貯湯式給湯装置のヒートポンプユニット２と沸き上げ熱交換器におけるｐ−ｈ線図である。
【図４】図４は上記貯湯式給湯装置の制御装置の沸き上げ運転の動作を説明するためのフローチャートである。
【図５】図５はこの発明の第２実施形態の貯湯式給湯装置の制御装置の沸き上げ運転の動作を説明するためのフローチャートである。
【発明を実施するための形態】
【００２８】
以下、この発明の貯湯式給湯装置を図示の実施の形態により詳細に説明する。
【００２９】
〔第１実施形態〕
図１はこの発明の第１実施形態の貯湯式給湯装置の配管系統図を示している。
【００３０】
この第１実施形態の貯湯式給湯装置は、図１に示すように、貯湯ユニット１と、上記貯湯ユニット１に接続されたヒートポンプユニット２を備えている。上記貯湯ユニット１は、貯湯タンク３と、沸き上げ熱交換器１０と、追焚熱交換器２０と、制御装置１００(図２参照)等を有する。
【００３１】
上記貯湯タンク３の下部に配管Ｌ１の一端を接続し、配管Ｌ１の他端を沸上用混合弁５０の第１入水ポートに接続している。上記沸上用混合弁５０の出水ポートに配管Ｌ２の一端を接続し、配管Ｌ２の他端を沸上熱交換器１０の一端に接続している。また、上記沸上熱交換器１０の他端を配管Ｌ３の一端に接続し、配管Ｌ３の他端を貯湯タンク３の上部に接続している。上記配管Ｌ２に沸き上げポンプの一例としての沸上用循環ポンプＰ１を配設している。
【００３２】
上記配管Ｌ１,配管Ｌ２,沸き上げ熱交換器１０,配管Ｌ３で沸き上げ回路を構成している。
【００３３】
上記沸上用混合弁５０の第１入水ポート側(貯湯タンク３側)の開度を全開にした状態で沸上用循環ポンプＰ１を駆動することにより、貯湯タンク３内の湯水を、配管Ｌ１,沸上用混合弁５０,配管Ｌ２,沸上熱交換器１０,配管Ｌ３を介して循環させる。
【００３４】
また、上記沸き上げ熱交換器１０を冷媒配管Ｌ４,Ｌ５を介してヒートポンプユニット２に接続している。上記ヒートポンプユニット２は、ＨＦＣ冷媒を用いており、沸き上げ熱交換器１０の出湯温度を例えば５０℃〜７０℃の範囲で制御することが可能である。このヒートポンプユニット２に用いられるＨＦＣ冷媒としては、Ｒ３２、Ｒ１２５、Ｒ１３４ａ、Ｒ４０４Ａ、Ｒ４１０Ａ、Ｒ４０７Ｃなどがある。
【００３５】
次に、上記貯湯タンク３の下部に配管Ｌ１１を介して外部の給水源７０を接続している。この配管Ｌ１１に、減圧弁１１と逆止弁１２を上流側から順に配設している。この逆止弁１２は、給水管側から貯湯タンク３側への流れのみを許容する。
【００３６】
また、上記貯湯タンク３の上部に配管Ｌ２１の一端を接続し、配管Ｌ２１の他端を追焚熱交換器２０の１次側の入水ポートに接続している。上記追焚熱交換器２０の１次側の出水ポートに配管Ｌ２２の一端を接続し、配管Ｌ２２の他端を沸上用混合弁５０の第２入水ポートに接続している。
【００３７】
上記配管Ｌ２１,追焚熱交換器２０,配管Ｌ２２で風呂追い焚き回路を構成している。
【００３８】
上記沸上用混合弁５０の第２入水ポート側(風呂追い焚き回路側)の開度を全開にした状態で沸上用循環ポンプＰ１を駆動することにより、貯湯タンク３内の上部の湯水を、配管Ｌ２１,追焚熱交換器２０(１次側),配管Ｌ２２,沸上用混合弁５０,配管Ｌ２,沸上熱交換器１０,配管Ｌ３を介して循環させる。
【００３９】
また、上記貯湯タンク３の上部に配管Ｌ３１の一端を接続し、配管Ｌ３１の他端を給湯用混合弁２２の第１入水ポートに接続している。上記配管Ｌ３１に、貯湯タンク３側から給湯用混合弁２２への流れのみを許容する逆止弁２１を配設している。また、給湯用混合弁２２の第２入水ポートに、分岐配管Ｌ１２の一端を接続し、分岐配管Ｌ１２の他端を、配管Ｌ１１の減圧弁１１と逆止弁１２との間に接続している。上記分岐配管Ｌ１２に、配管Ｌ１１側から給湯用混合弁２２への流れのみを許容する逆止弁２３を配設している。
【００４０】
そして、上記給湯用混合弁２２の出水ポートに配管Ｌ３２の一端を接続し、配管Ｌ３２の他端を給湯端末６０に接続している。上記配管Ｌ３２に水量センサ２４を配設している。図１に示す給湯端末６０は蛇口としているが、この実施形態では、給湯端末６０は蛇口やシャワーなどを含むものとする。
【００４１】
上記分岐配管Ｌ１２と配管Ｌ３１と配管Ｌ３２と逆止弁２１と給湯用混合弁２２と逆止弁２３および水量センサ２４で、給湯端末６０に給湯するための給湯回路を構成している。
【００４２】
上記給湯用混合弁２２は、ステッピングモータ(図示せず)により駆動されるパルス駆動方式の混合弁が用いられている。この給湯用混合弁２２の第２入水ポート(給水側)の流量に対する第１入水ポート(貯湯タンク３側)の流量の比は、給湯用混合弁２２の開度０％〜１００％(例えば駆動パルス０〜１８００)を調整することによって制御される。
【００４３】
また、上記配管Ｌ３２の水量センサ２４の上流側に配管Ｌ３３の一端を接続し、配管Ｌ３３の他端を、浴槽４に設けられた接続アダプタ９の給湯口９aに接続している。この配管Ｌ３３の上流側から順に、湯張り用電磁弁２５と、逆止弁２６と、水量センサ２７と、逆止弁２８を配設している。この逆止弁２６,２８は、給湯用混合弁２２側から浴槽４への流れのみを許容する。
【００４４】
上記配管Ｌ３３と湯張り用電磁弁２５と逆止弁２６,２８および水量センサ２７で、給湯回路の配管Ｌ３２から分岐して浴槽４に接続された風呂給湯回路を構成している。
【００４５】
また、上記水量センサ２４と水量センサ２７で給湯量検出部を構成している。
【００４６】
上記接続アダプタ９の追焚用吸水口９bに配管Ｌ３５の一端を接続し、配管Ｌ３５の他端を追焚熱交換器２０の２次側の入水ポートに接続している。上記配管Ｌ３５に風呂用循環ポンプＰ２を配設している。また、配管Ｌ３３の水量センサ２７よりも下流側に配管Ｌ３４の一端を接続し、配管Ｌ３４の他端を追焚熱交換器２０の２次側の出水ポートに接続している。
【００４７】
上記風呂用循環ポンプＰ２により、浴槽４内の湯水を、配管Ｌ３５,追焚熱交換器２０(２次側),配管Ｌ３４,配管Ｌ３３(一部)を介して循環させる。
【００４８】
上記配管Ｌ３５,追焚熱交換器２０(２次側),配管Ｌ３４,配管Ｌ３３(一部)で風呂循環回路を構成している。
【００４９】
さらに、上記配管Ｌ２１に配管Ｌ４１の一端を接続し、配管Ｌ４１の他端を排水口８０に接続している。また、上記配管Ｌ４１に逃し弁３１を配設している。
【００５０】
上記貯湯タンク３には、下側から上側に向かって略等間隔に４つの温度センサＴ１〜Ｔ４を設けている。また、配管Ｌ２に入水温度を検出する温度センサＴ１１を設けると共に、配管Ｌ３に出湯温度を検出する温度センサＴ１２を設けている。この温度センサＴ１１は、入水温度センサの一例であり、温度センサＴ１２は、出湯温度センサの一例である。
【００５１】
また、沸き上げ熱交換器１０に温度センサＴ１３を設けている。また、給湯端末６０に接続された配管Ｌ３２には、水量センサ２４よりも下流側に給湯温度を検出する温度センサＴ２１を設けている。また、浴槽４に接続された配管Ｌ３５には、浴槽４側の接続アダプタ９と風呂用循環ポンプＰ２との間に、水位センサＬＳと、水流スイッチＳＷと、温度センサＴ２３を接続アダプタ９側から順に設けている。さらに、浴槽４に接続された配管Ｌ３３の逆止弁２８の下流側でかつ配管Ｌ３３と配管Ｌ３４との接続点に、浴槽４に供給される給湯水の温度を検出する温度センサＴ２２を設けている。
【００５２】
上記ヒートポンプユニット２は、膨張機構(例えば膨張弁)２０１と空気熱交換器２０２と四路切換弁２０３と圧縮機２０４を有する。沸き上げ熱交換器１０に一端が接続された冷媒配管Ｌ５の他端が膨張機構２０１に接続されている。また、沸き上げ熱交換器１０に一端が接続された冷媒配管Ｌ３の他端が四路切換弁２０３に接続されている。このようにして、膨張機構２０１と空気熱交換器２０２と四路切換弁２０３と圧縮機２０４および沸き上げ熱交換器１０で環状に接続された冷媒回路を構成している。このヒートポンプユニット２では、四路切換弁２０３を実線の切換位置にした状態で圧縮機２０４を運転すると、圧縮機２０４から吐出された高温高圧の冷媒は、四路切換弁２０３と冷媒配管Ｌ４を介して沸き上げ熱交換器１０に流入して、沸き上げ熱交換器１０で凝縮される。そして、沸き上げ熱交換器１０で凝縮した冷媒は、冷媒配管Ｌ５を介して流入した膨張機構２０１において低圧冷媒となって空気熱交換器２０２に流入し、空気熱交換器２０２で蒸発した後、四路切換弁２０３を介して圧縮機２０４の吸入側に戻るようになっている。
【００５３】
また、上記ヒートポンプユニット２には、空気熱交換器２０２の温度を検出する温度センサ(図示せず)と外気温度を検出する外気温度センサ２０５が設けられている。
【００５４】
また、図２は上記給湯装置の制御ブロック図を示している。この給湯装置は、図２に示すように、マイクロコンピュータと入出力回路などからなる制御装置１００と、上記制御装置１００との間で信号を送受信するリモートコントローラ２００とを備えている。上記制御装置１００は、温度センサＴ１〜Ｔ４,Ｔ１１〜Ｔ１３,Ｔ２１〜Ｔ２３と水位センサＬＳと水流スイッチＳＷと水量センサ２４,２７と外気温度センサ２０５およびリモートコントローラ２００などからの信号を受けて、ヒートポンプユニット２と沸上用循環ポンプＰ１と風呂用循環ポンプＰ２と給湯用混合弁２２と湯張り用電磁弁２５と沸上用混合弁５０などを制御する。
【００５５】
また、上記制御装置１００は、貯湯タンク３内の湯水を沸き上げる運転を制御する沸き上げ運転制御部１００aと、給湯端末６０の給湯温度を制御する給湯制御部１００bと、「風呂湯張り運転」などを含む浴槽４への注湯を制御する風呂注湯制御部１００cと、「風呂追焚運転」を制御する風呂追焚制御部１００dと、履歴情報記憶部１００eとを有する。
【００５６】
<給湯運転>
上記構成の給湯装置において、給湯端末６０の給湯温度を制御する「給湯運転」では、貯湯タンク３の上部から出湯された湯水と外部の給水源７０から配管Ｌ１１,Ｌ１２を介して供給される水を給湯用混合弁２２で混合することによって、給湯端末６０に所望の温度の湯水を供給する。このとき、制御装置１００の給湯制御部１００bにより、温度センサＴ２１により検出された給湯温度が給湯設定温度ｔＫＳになるように、給湯用混合弁２２の開度を制御する。
【００５７】
<沸き上げ運転>
上記ヒートポンプユニット２により貯湯タンク３内の湯水を沸き上げる「沸き上げ運転」では、制御装置１００の沸き上げ運転制御部１００aにより、沸上用混合弁５０の第１入水ポート側(貯湯タンク３側)の開度を全開にした状態で沸上用循環ポンプＰ１を運転して、貯湯タンク３内の湯水を、配管Ｌ１,沸上用混合弁５０,配管Ｌ２,沸上熱交換器１０,配管Ｌ３を介して循環させる。
【００５８】
上記沸き上げ運転制御部１００aは、沸き上げ運転時、温度センサＴ１２により検出された出湯温度が目標出湯温度ｔＳになるように、ヒートポンプユニット２と沸上用循環ポンプＰ１を制御する。ここで、目標出湯温度ｔＳは、貯湯タンク３から給湯される湯量などに基づいて制御装置１００で算出される。例えば、使用される湯量が多い場合、目標出湯温度ｔＳは例えば７０℃と高くなり、使用される湯量が少ない場合、目標出湯温度ｔＳは例えば５０℃と低くなる。
【００５９】
そして、温度センサＴ１１により検出された沸き上げ熱交換器１０の入水温度が例えば４０℃〜４５℃(沸き終い温度)になると沸き上げ運転を終了する。
【００６０】
<風呂湯張り運転および風呂足し湯運転>
次に、上記貯湯タンク３から風呂の浴槽４内に給湯する「風呂湯張り運転」や「風呂足し湯運転」を行う場合、制御装置１００の風呂注湯制御部１００cにより湯張り用電磁弁２５を開いて、貯湯タンク３内の湯を給湯用混合弁２２と風呂給湯回路(Ｌ３３,２５,２６,２７,２８)を介して浴槽４内に供給する。このとき、風呂注湯制御部１００cは、給湯用混合弁２２を制御して、風呂設定温度ｔＢＳに基づいて、貯湯タンク３からの高温の湯と外部からの給水とを給湯用混合弁２２により混合すると共に、水量センサ２７での検出する流量の積算値が、ふろ設定湯量に到達すると、湯張り用電磁弁２５を閉じて風呂湯張り運転を完了する。なお、風呂湯張り運転は、完了までに２〜３度中断しながら(湯張り用電磁弁２５を閉じて)実行される。
【００６１】
<風呂追焚運転>
次に、上記貯湯タンク３から風呂の浴槽４内の湯を追い焚きする「風呂追焚運転」を行う場合、制御装置１００の風呂追焚制御部１００dにより、湯張り用電磁弁２５を閉じた状態で風呂用循環ポンプＰ２を運転して、浴槽４内の湯を風呂循環回路(Ｌ３５,２０(２次側),Ｌ３４,Ｌ３３(一部))を介して循環させる。
【００６２】
そして、温度センサＴ２３により検出された浴槽４内の湯の風呂温度に基づいて、風呂追焚制御部１００dは、ヒートポンプユニット２を用いずに貯湯タンク３内の湯を熱源とする風呂追焚運転を行う。この風呂追焚運転では、沸上熱交換器１０からの湯を沸上用循環ポンプＰ１により貯湯タンク３と沸き上げ回路(Ｌ１,Ｌ２,１０,Ｌ３)と風呂追い焚き回路(Ｌ２１,２０,Ｌ２２)を介して循環させて風呂の追い焚きを行う。
【００６３】
なお、ヒートポンプユニット２を用いて風呂追焚運転を行う場合、沸上用混合弁５０の第２入水ポート側(風呂追い焚き回路側)の開度を全開にした状態で行ってもよいし、ヒートポンプユニット２の沸き上げ効率を向上するために、沸上用混合弁５０の開度を制御して、追焚熱交換器２０からの戻り湯と貯湯タンク３の下部からの湯水とを沸上用混合弁５０により混合してもよい。
【００６４】
<低外気温時の沸き上げ運転>
ＨＦＣ冷媒を用いた貯湯式給湯装置では、外気温度が−５℃を越えているときは、高い加熱能力で貯湯タンク３内の湯を６５℃に沸き上げることが可能である。しかし、−５℃以下の低外気温時は、高い加熱能力で６５℃で沸き上げ運転を行うと、圧縮機高低圧比(吐出圧力／吸入圧力)が設計上の規定である上限値を超えてしまう可能性が高くなる。そこで、この貯湯式給湯装置は、低外気温時のみ通常モードとは異なる制御を行うことで、圧縮機高低圧力比(吐出圧力／吸入圧力)を上限値以内にしながら沸き上げ運転を行うことを可能としている。
【００６５】
詳しくは、上記構成の貯湯式給湯装置において、低外気温(この実施形態では、外気温度が−５℃以下)時に沸き上げ運転を行うとき、沸き上げ運転制御部１００aによって、ヒートポンプユニット２の圧縮機２０４の吸入圧力に対する吐出圧力の比が予め設定された上限値以内になるように、圧縮機２０４の運転周波数を制限する第１制限モードと目標出湯温度ｔＳを制限する第２制限モードとを所定の条件に基づいて切り換える。ここで、上記所定の条件の一例としては、深夜時間帯では第１制限モードとし、深夜時間帯以外では第２制限モードという条件などがある。
【００６６】
上記沸き上げ運転制御部１００aによって、第１制限モードで圧縮機２０４の運転周波数を制限して圧縮機２０４の吸入圧力を上げることで、圧縮機２０４の吸入圧力に対する吐出圧力の比を下げて上記上限値以内になるようにする一方、第２制限モードで目標出湯温度ｔＳを制限して圧縮機２０４の吐出圧力を下げることで、圧縮機２０４の吸入圧力に対する吐出圧力の比を下げて上記上限値以内になるようにすることが可能になる。
【００６７】
ここで、加熱能力を下げても、出湯温度を目標出湯温度ｔＳに保ちたいときは、圧縮機２０４の運転周波数を制限する第１制限モードで沸き上げ運転を行う。また、沸き上げ熱交換器１０の出湯温度を下げても、加熱能力を上げたいときは、目標出湯温度ｔＳを制限する第２制限モードで沸き上げ運転を行う。
【００６８】
上記加熱能力は、
加熱能力  ＝  (出湯温度−入水温度)×循環流量
出湯温度  ：  沸き上げ熱交換器１０から流出する湯の温度
入水温度  ：  沸き上げ熱交換器１０に流入する湯水の温度
循環流量  ：  沸き上げ熱交換器１０を介して循環する単位時間あたりの湯水量
で表される。すなわち、加熱能力とは、沸き上げ熱交換器１０において生成することができる単位時間当たりの熱量である。
【００６９】
例えば、圧縮機２０４の運転周波数を制限すると、入水温度と循環流量が一定の条件では、出湯温度が下がって、上記式のとおり加熱能力は下がる。一方、圧縮機２０４の運転周波数を変えずに目標出湯温度ｔＳを制限すると、入水温度が一定の条件では、出湯温度を目標出湯温度ｔＳに下げるために循環流量が増えて、上記式のとおり加熱能力は上がる。
【００７０】
上記貯湯式給湯装置によれば、低外気温時に圧縮機高低圧比(吐出圧力／吸入圧力)を上記上限値以内に保って沸き上げ運転を行うことができる。さらに、低外気温時の沸き上げ運転において、加熱能力と出湯温度のうちのいずれを優先させるかを所定の条件に基づいて第１,第２制限モードを切り換えることにより、状況に応じた最適な沸き上げ運転が可能になる。
【００７１】
例えば、低外気温時に通常モードの加熱能力で出湯温度を目標出湯温度ｔＳにして沸き上げ運転を行うと、圧縮機２０４の設計上で規定された圧縮機高低圧比(吐出圧力／吸入圧力)が上限値を超えてしまう恐れがあるので、第１制限モードで圧縮機２０４の運転周波数を制限して加熱能力を下げて、出湯温度を目標出湯温度ｔＳに保てるようにすることで、ゆっくりと時間をかけて、貯湯タンク３内の少なくとも上部の湯を目標出湯温度ｔＳになるように沸き上げることができる。一方、第２制限モードで目標出湯温度ｔＳを制限して出湯温度を下げて、加熱能力を上げるようにすることで、速やかに貯湯タンク内の湯水を沸き上げることにより湯切れ耐力を強くすることができる。
【００７２】
ここで、「低外気温時」とは、氷点以下に設定された判定温度よりも外気温度が低くなったときであり、例えば、ＨＦＣ冷媒を用いたヒートポンプユニット２を備えた貯湯式給湯装置では、外気温度が−５℃以下になったときである。
【００７３】
なお、この第１実施形態では、圧縮機高低圧比(吐出圧力／吸入圧力)の上限値を設計上の規定により設定したが、圧縮機の能力や仕様によって上限値は異なる。
【００７４】
図３は上記ヒートポンプユニット２と沸き上げ熱交換器１０におけるｐ−ｈ線図(モリエル線図)を示している。図３において、縦軸は圧力[任意目盛]を表し、横軸はエンタルピー[任意目盛]を表す。
【００７５】
図３に示す上方に膨らんだ曲線の頂点(臨界点)の左側が飽和液線であり、曲線の頂点(臨界点)の右側が飽和蒸気線である。また、飽和液線と飽和蒸気線からなる曲線の内側が湿り蒸気であり、飽和液線から左側が過冷却液であり、飽和蒸気線から右側が過熱蒸気である。また、図３には−２０℃〜１２０℃までの等温度線が示されている。
【００７６】
ここで、上記ヒートポンプユニット２と沸き上げ熱交換器１０の冷凍サイクルの圧縮行程、凝縮行程、膨張行程、蒸発行程は、台形状をしており、第１制限モードでの沸き上げ運転時の冷凍サイクルを実線の台形で示し、第２制限モードでの沸き上げ運転時の冷凍サイクルを点線の台形で示している。図３に示す実線,点線で示す台形の右辺が圧縮行程、上底が凝縮行程、左辺が膨張行程、下底が蒸発行程である。また、図３に示す冷凍サイクルは、外気温度が−１０℃のときのものである。
【００７７】
図３の実線で示す第１制限モードでの沸き上げ運転時の冷凍サイクルでは、外気温度が低外気温時でないときに行う通常モードの沸き上げ運転における圧縮機２０４の運転周波数よりも圧縮機２０４の運転周波数を下げると共に、目標出湯温度ｔＳを６５℃にしている。これにより、蒸発行程(下底)の圧力が上昇して圧縮機２０４の吸入圧力を上げることができ、圧縮機高低圧比(吐出圧力／吸入圧力)を上限値以内にすることが可能になる。
【００７８】
図３において、第１制限モードにおける圧縮機高低圧比(吐出圧力／吸入圧力)が上限値となる圧力を「高圧上限圧力(第１制限モード)」として示している。この「高圧上限圧力(第１制限モード)」よりも凝縮行程(上底)の圧力が低くなっている。
【００７９】
一方、図３の点線で示す第２制限モードでの沸き上げ運転時の冷凍サイクルでは、外気温度が低外気温時でないときに行う通常モードの沸き上げ運転よりも目標出湯温度ｔＳを下げて６０℃とすると共に、圧縮機２０４の運転周波数を通常モードの沸き上げ運転における運転周波数としている。これにより、通常モードの沸き上げ運転における凝縮行程(上底)の圧力が下降して圧縮機２０４の吐出圧力を下げることができ、圧縮機高低圧比(吐出圧力／吸入圧力)を上限値以内にすることが可能になる。
【００８０】
図３において、第２制限モードにおける圧縮機高低圧比(吐出圧力／吸入圧力)が上限値となる圧力を「高圧上限圧力(第２制限モード)」として示している。この「高圧上限圧力(第１制限モード)」よりも凝縮行程(上底)の圧力が低くなっている。
【００８１】
また、上記沸き上げ運転制御部１００aによって、低外気温時に予め設定された時間帯に応じて第１制限モードで沸き上げ運転をするかまたは第２制限モードで沸き上げ運転をするかを切り換える。例えば、深夜時間帯(午後１１時〜午前７時)では、貯湯タンク３内の湯の使用量すなわち給湯量が少ないので、深夜時間帯でかつ低外気温のときに沸き上げ運転を行う場合は、第１制限モードで圧縮機２０４の運転周波数を制限して加熱能力を下げて、出湯温度を目標出湯温度ｔＳに保って、ゆっくりと時間をかけて、貯湯タンク３内の少なくとも上部の湯を目標出湯温度ｔＳになるように沸き上げることができる。一方、深夜時間帯以外の給湯量が比較的多い時間帯でかつ低外気温のときに沸き上げ運転を行う場合は、第２制限モードで目標出湯温度ｔＳを制限して出湯温度を下げて、加熱能力を上げて速やかに貯湯タンク３内の湯水を沸き上げることにより、湯切れが発生しないようにできる。
【００８２】
図４のフローチャートに従って上記貯湯式給湯装置の制御装置１００の沸き上げ運転の動作を以下に説明する。
【００８３】
まず、沸き上げ運転の処理がスタートすると、図４に示すステップＳ１に進み、外気温度センサ２０５により検出された外気温度が判定温度ｔｏ(この実施形態では−５℃)以下と判定すると、ステップＳ２に進む。
【００８４】
次に、ステップＳ２で現在時刻が深夜時間帯であると判定すると、ステップＳ３に進み、第１制限モードで沸き上げ運転(目標出湯温度６５℃)を行った後、この処理を終了する。
【００８５】
一方、ステップＳ２で現在時刻が深夜時間帯でないと判定すると、ステップＳ３に進み、第２制限モードで沸き上げ運転(目標出湯温度６０℃)を行った後、この処理を終了する。
【００８６】
また、ステップＳ１に進み、外気温度センサ２０５により検出された外気温度が判定温度ｔｏこの実施形態では−５℃)よりも高いと判定すると、ステップＳ５に進み、通常モードで沸き上げ運転(目標出湯温度６５℃)を行った後、この処理を終了する。
【００８７】
〔第２実施形態〕
図５はこの発明の第２実施形態の貯湯式給湯装置の制御装置１００の沸き上げ運転の動作を説明するためのフローチャートを示している。この第２実施形態の貯湯式給湯装置は、沸き上げ運転制御部１００aの動作を除いて第１実施形態の貯湯式給湯装置と同一の構成をしており、図１,図２を援用する。
【００８８】
この第２実施形態の貯湯式給湯装置では、沸き上げ運転制御部１００aによって、風呂湯張り運転の終了から予め設定された期間(この実施形態では２時間)内でかつ低外気温(この実施形態では、外気温度が−５℃以下)時に沸き上げ運転を行う場合、第２制限モードで沸き上げ運転を行う。また、この貯湯式給湯装置は、第１実施形態と同様に、沸き上げ運転制御部１００aによって、低外気温時に予め設定された時間帯に応じて第１制限モードで沸き上げ運転をするかまたは第２制限モードで沸き上げ運転をするかを切り換える。
【００８９】
風呂湯張り運転を終了したときは、貯湯タンク３内の湯が多量に使用されるので、このような風呂湯張り運転終了後の状態で低外気温のときに沸き上げ運転を行う場合は、第２制限モードで目標出湯温度ｔＳを６０℃に制限して出湯温度を下げて、加熱能力を上げて速やかに貯湯タンク３内の湯水を沸き上げることにより、風呂湯張り運転後に発生しやすい湯切れを防ぐことができる。
【００９０】
以下に、図５のフローチャートに従って上記貯湯式給湯装置の制御装置１００の沸き上げ運転の動作を説明する。
【００９１】
まず、沸き上げ運転の処理がスタートすると、図５に示すステップＳ１１に進み、外気温度センサ２０５により検出された外気温度が判定温度ｔｏ(この実施形態では−５℃)以下と判定すると、ステップＳ１２に進む。
【００９２】
次に、ステップＳ１２で湯張り運転の終了から期間ＴＭ(この実施形態では２時間)内でないと判定するとステップＳ１３に進む一方、湯張り運転の終了から期間ＴＭ内であると判定すると、ステップＳ１５に進み、第２制限モードで沸き上げ運転(目標出湯温度６０℃)を行った後、この処理を終了する。
【００９３】
そして、ステップＳ１３で現在時刻が深夜時間帯であると判定すると、ステップＳ１４に進み、第１制限モードで沸き上げ運転(目標出湯温度６５℃)を行った後、この処理を終了する。
【００９４】
一方、ステップＳ１３で現在時刻が深夜時間帯でないと判定すると、ステップＳ１５に進み、第２制限モードで沸き上げ運転(目標出湯温度６０℃)を行った後、この処理を終了する。
【００９５】
また、ステップＳ１１において、外気温度センサ２０５により検出された外気温度が判定温度ｔｏ(この実施形態では−５℃)よりも高いと判定すると、ステップＳ１６に進み、通常モードで沸き上げ運転(目標出湯温度６５℃)を行った後、この処理を終了する。
【００９６】
〔第３実施形態〕
この発明の第３実施形態の貯湯式給湯装置は、沸き上げ運転制御部１００aの動作を除いて第１実施形態の貯湯式給湯装置と同一の構成をしており、図１,図２を援用する。
【００９７】
この第３実施形態の貯湯式給湯装置では、沸き上げ運転制御部１００aによって、給湯量検出部(２４,２７)により検出された給湯量に基づいて、低外気温時(この実施形態では、外気温度が−５℃以下)に第１制限モードで沸き上げ運転をするかまたは第２制限モードで沸き上げ運転をするかを切り換える。
【００９８】
例えば、過去１時間以内の貯湯タンク３内の湯の使用量すなわち給湯量の多い場合は、第２制限モードで目標出湯温度ｔＳを６０℃に制限して出湯温度を下げて、加熱能力を上げることにより沸き上げる湯量を増やす一方、過去１時間以内の貯湯タンク３内の湯の使用量すなわち給湯量の少ない場合は、第１制限モードで圧縮機２０４の運転周波数を制限して加熱能力を下げて、目標出湯温度ｔＳを６５℃にして、貯湯タンク３内の少なくとも上部の湯温が６５℃になるように沸き上げる。なお、この第３実施形態では、過去１時間以内の給湯量に基づいて第１,第２制限モードを切り換えたが、過去１時間以内の給湯量に限らず、ヒートポンプユニット２の能力や貯湯タンク３の容量などに応じて適宜設定してよい。
【００９９】
〔第４実施形態〕
この発明の第４実施形態の貯湯式給湯装置は、沸き上げ運転制御部１００aの動作と履歴情報記憶部１００eを除いて第１実施形態の貯湯式給湯装置と同一の構成をしており、図１,図２を援用する。
【０１００】
この第４実施形態の貯湯式給湯装置では、給湯量検出部(２４,２７)により検出された給湯量の履歴情報を履歴情報記憶部１００eに記憶する。これにより、例えば１日(または１週間の各曜日)のうちで給湯量の時間帯毎の変動傾向が学習可能になる。そして、沸き上げ運転制御部１００aによって、履歴情報記憶部１００eにより記憶された給湯量の履歴情報に基づいて、低外気温時に第１制限モードで沸き上げ運転をするかまたは第２制限モードで沸き上げ運転をするかを切り換える。
【０１０１】
したがって、貯湯タンク３内の湯の使用量すなわち給湯量が少ないという履歴情報と一致する時間帯でかつ低外気温の場合は、第１制限モードで沸き上げ運転を行い、給湯量が多いという履歴情報と一致する時間帯でかつ低外気温の場合は、第２制限モードで沸き上げ運転を行うので、最適な低外気温時の沸き上げ運転を的確に切り換えることができる。
【０１０２】
なお、上記第１〜第４実施形態の貯湯式給湯装置において、沸き上げ運転制御部１００aによって、低外気温時にリモートコントローラ２００からの沸き上げ運転を指令する信号を受けると、第２制限モードで沸き上げ運転を行うようにしてもよい。
【０１０３】
ユーザーがリモートコントローラ２００を操作して沸き上げ運転を指令するのは、湯切れが起きやすくなるほどの量の湯を貯湯タンク３内から給湯で使用したり、これから給湯で使用する予定であったりするためであり、そのような状況で沸き上げ運転を指令する信号を低外気温時に受けたときは、第２制限モードで加熱能力を上げて沸き上げ運転を行うことで、速やかに貯湯タンク内の湯水を沸き上げることができる。
【０１０４】
上記第１〜第４実施形態では、追焚熱交換器２０からの戻り湯と貯湯タンク３の下部からの湯水とを混合する沸上用混合弁５０を備えた給湯装置について説明したが、沸上用混合弁を用いずに沸き上げ回路と風呂追い焚き回路を別々に構成した給湯装置にこの発明を適用してもよい。
【０１０５】
上記第１〜第４実施形態では、低外気温時に沸き上げ運転を行うときに第１制限モードと第２制限モードを切り換える所定の条件として、時間帯、風呂湯張り運転の終了、給湯量、給湯量の履歴情報およびリモートコントローラ２００を操作して沸き上げ運転を指令を用いたが、第１制限モードと第２制限モードを切り換える所定の条件はこれに限らず、低外気温時に状況に応じた最適な沸き上げ運転が可能な条件であればよい。
【０１０６】
この発明の具体的な実施の形態について説明したが、この発明は上記第１〜第４実施形態に限定されるものではなく、この発明の範囲内で種々変更して実施することができる。例えば、上記第１〜第４実施形態で記載した内容を適宜組み合わせたものを、この発明の一実施形態としてもよい。
【符号の説明】
【０１０７】
１…貯湯ユニット
２…ヒートポンプユニット
３…貯湯タンク
４…浴槽
１０…沸き上げ熱交換器
２０…追焚熱交換器
５０…沸上用混合弁
６０…給湯端末
７０…給水源
８０…排水口
１００…制御装置
１００a…沸き上げ運転制御部
１００b…給湯制御部
１００c…風呂注湯制御部
１００d…風呂追焚制御部
１００e…履歴情報記憶部
２００…リモートコントローラ
２０１…膨張機構
２０２…空気熱交換器
２０３…四路切換弁
２０４…圧縮機
２０５…外気温度センサ
Ｌ１,Ｌ２,Ｌ２,Ｌ１１,Ｌ２１,Ｌ２２,Ｌ３１〜Ｌ３５,Ｌ４１…配管
Ｌ４,Ｌ５…冷媒配管
Ｌ１２…分岐配管
ＬＳ…水位センサ
Ｐ１…沸上用循環ポンプ
Ｐ２…風呂用循環ポンプ
ＳＷ…水流スイッチ
Ｔ１〜Ｔ４,Ｔ１１〜Ｔ１３,Ｔ２１〜Ｔ２３…温度センサ
【図１】
2016095088.tif 000003
【図２】
2016095088.tif 000004
【図３】
2016095088.tif 000005
【図４】
2016095088.tif 000006
【図５】
2016095088.tif 000007